(57)【要約】【課題】  構造が簡単であり、ポータブル機器の全体を覆うことができ、複数色のカバーを好みに合わせて付け替えて楽しむことができるポーダブル機器のカバーを提供する。【解決手段】  携帯用の小型テレビ３等のポータブル機器の外側に配置され、ポータブル機器を保護するために用いられ、複数色のカバー１、２を好みに合わせて付け替えられ、カバー１、２は半割り状の筐体から構成されてポータブル機器の外面を覆うように配置され、片方のカバー１には、上下壁４、５に外側に突出するリブ６が２箇所ずつ設けられると共に左右壁７、８に先端に外向きの係止突起９ａを有するフック９が外側に突出するように１箇所ずつ設けられ、他方のカバー２には、上下壁１０、１１にリブ９が挿入される孔部１２ａを有する受け部１２が先端の内面に２箇所ずつ設けられると共に左右壁７、８にフック９の係止突起９ａが係入係止される係止孔１３ａ、１４ａが形成されている。【選択図】  図１
2008167780.tif 000002
【特許請求の範囲】
【請求項１】
携帯用の小型テレビ等のポータブル機器の外側に配置されて、ポータブル機器を保護するために用いられるポータブル機器のカバーにおいて、複数色のカバーを好みに合わせて付け替えるようになされ、前記カバーは半割り状の筐体から構成されて前記ポータブル機器の外面を覆うように配置され、片方のカバーには、その上下壁に外側に突出するリブが２箇所ずつ設けられると共に左右壁に先端に外向きの係止突起を有するフックが外側に突出するように１箇所ずつ設けられ、他方のカバーには、その上下壁に前記リブが挿入される孔部を有する受け部が先端の内面に２箇所ずつ設けられると共に左右壁に前記フックの係止突起が係入係止される係止孔が形成されていることを特徴とするポータブル機器のカバー。
【請求項２】
携帯用の小型テレビ等のポータブル機器の外側に配置されて、ポータブル機器を保護するために用いられるポータブル機器のカバーにおいて、複数色のカバーを好みに合わせて付け替えるようになされ、前記カバーは半割り状の筐体から構成されて前記ポータブル機器の外面を覆うように配置され、片方のカバーには、先端に外向きの係止突起を有するフックが外側に突出するように設けられ、他方のカバーには、前記フックの係止突起が係入係止される係止孔が形成されていることを特徴とするポータブル機器のカバー。
【請求項３】
前記フックは片方のカバーの左右側壁もしくは上下壁の幅方向略中央部に設けられ、前記係止孔は他方のカバーの左右側壁もしくは上下壁における前記フックの係止突起に対応した箇所に設けられている請求項２に記載のポータブル機器のカバー。
【請求項４】
前記フックは、前記片方のカバーの両側壁に上下に近接して複数設けられ、前記係止孔は他方のカバーの両側壁における前記フックの係止突起に対応する箇所に近接して複数設けられている請求項２に記載のポータブル機器のカバー。
【請求項５】
前記片方のカバー及び他方のカバーには、前記ポータブル機器に設けられた表示面や操作部等に対応する箇所に、前記表示面や操作部等を露出させるための複数の開口部が形成されている請求項２乃至４のいずれかに記載のポータブル機器のカバー。
【発明の詳細な説明】
【技術分野】
【０００１】
本発明は、携帯用の小型テレビ等のポータブル機器の外側に配置されて、ポータブル機器を保護するために用いられるポータブル機器のカバーに関するものである。
【背景技術】
【０００２】
第１の従来技術を図８（ａ）（ｂ）に示す。この従来の電子機器のカバーは、図８（ａ）（ｂ）に示すように、構造体１０１の外側に取り付けられるとともに、周縁部１０２ｂの一部が内面側に折り曲がったカバー１０２を有する電子装置において、カバー１０２は、その内面の折り目１０２ｄを含む所定の領域から突出するとともに、カバー１０２の内面側から見て折り目１０２ｄと交叉する線形成分を有する第１の部位と、第１の部位と交叉する線形成分を有する第２の部位とが一体となった１又は複数のリブ１０２ａを有し、構造体１０１は、リブ１０２ａと対応する位置にリブ１０２ａと嵌合する穴部１０１ａを有する。（例えば、特許文献１参照）。
【０００３】
ところが、これにおいては、形状が複雑であり、取り外し難いという問題があった。
【０００４】
第２の従来技術を図９に示す。この従来の外装カバーは、図９に示すように、一体成形された強度を高めるための補強リブ２２６と、外側カバー装着部２１７、２２３とを有し、画像形成装置のフレームに固定される内側カバーＦＣ２と、外側カバー装着部２１７、２２３に装着される被装着部２０３、２０８が外側カバー装着部２１７、２２３に装着された状態で外表面が外部に露出する外側カバーＦＣ１とを備えた外装カバー。（例えば、特許文献２参照）。
【０００５】
ところが、これにおいては、内側カバーＦＣ２と外側カバーＦＣ１の二つのカバーを必要とし、更に、構造が複雑であるという問題があった。
【０００６】
第３の従来技術を図１０に示す。この従来の外装体接合部材を用いた接合構造は、図１０に示すように、ウェブ３０３ｂの端部から側面ガイド３０３ａ・・・を延ばしたＨ形断面を有するフレーム３０３で環状の枠体を形成し、圧縮木材の成形品からなる前カバー３０１、後カバー３０２の端部をフレーム３０３のコ字状の溝に押し込んで嵌め込み、前カバー３０１、後カバー３０２の端面をウェブ３０３ｂで受けることができるようにする。（例えば、特許文献３参照）。
【０００７】
ところが、これにおいては、構造が複雑であるという問題があった。
【０００８】
第４の従来技術を図１１（ａ）（ｂ）に示す。この従来のデジタルスチルカメラは、図１１（ａ）（ｂ）に示すように、前面には少なくとも撮影部材４０３、４０４、４０５を、後面には少なくとも表示モニタ４０２を備えたカメラ本体４０１と、カメラ本体に沿ってスライド自在に支持されて、撮影部材を覆う撮影不能位置と、撮影部材を露出させる撮影可能位置との間を移動するカバー４２１と、を備え、カバーの開閉動作中にカメラ本体の電源のオン・オフを行うデジタルスチルカメラにおいて、カバーが撮影不能位置にある時は、カメラ本体後面の表示モニタ以外の全ての撮影部材を覆う。（例えば、特許文献４参照）
ところが、これにおいては、カバー４２１が外れやすいという問題があった。
【０００９】
第５の従来技術を図１２（ａ）（ｂ）に示す。この従来の電子機器は、図１２（ａ）（ｂ）に示すように、本体キャビネット５１０に対してフロント外装キャビネット５２０が着脱自在に装着される電子機器５０１であり、フロント外装キャビネット５２０に設けられ、本体キャビネット５１０に対する着脱の際の支点となる引っ掛け爪５２２および切り欠き５２３から成る支点部と、フロント外装キャビネット５２０が本体キャビネット５１０に装着された状態でフロント外装キャビネット５２０の支点部が本体キャビネット５１０から脱落するのを防止するサイドキャビネット５３０とを備えている。      （例えば、特許文献５参照）
ところが、これにおいては、サイドキャビネット５３０を必要とすると共に、フロント外装キャビネット５２０とリヤ外装キャビネット５３１で電子機器の全体を覆うものでなかった。
【特許文献１】特開２００６−８６２７９号公報
【特許文献２】特開２００６−５８６８８号公報
【特許文献３】特開２００５−３１０９４９号公報
【特許文献４】特開２００３−１４９７０８号広報
【特許文献５】特開２００３−２３２６２号広報
【発明の開示】
【発明が解決しようとする課題】
【００１０】
本発明は、上記従来の問題に鑑みてなされたものであって、構造が簡単であり、ポータブル機器の全体を覆うことができ、しかも、複数色のカバーを好みに合わせて付け替えて楽しむことができるポーダブル機器のカバーを提供することを目的としている。
【課題を解決するための手段】
【００１１】
本発明は、上記課題を解決するために提案されたものであって、請求項１に記載の発明は、携帯用の小型テレビ等のポータブル機器の外側に配置されて、ポータブル機器を保護するために用いられるポータブル機器のカバーにおいて、複数色のカバーを好みに合わせて付け替えるようになされ、前記カバーは半割り状の筐体から構成されて前記ポータブル機器の外面を覆うように配置され、片方のカバーには、その上下壁に外側に突出するリブが２箇所ずつ設けられると共に左右壁に先端に外向きの係止突起を有するフックが外側に突出するように１箇所ずつ設けられ、他方のカバーには、その上下壁に前記リブが挿入される孔部を有する受け部が先端の内面に２箇所ずつ設けられると共に左右壁に前記フックの係止突起が係入係止される係止孔が形成されていることを特徴としている。
【００１２】
請求項２に記載の発明は、携帯用の小型テレビ等のポータブル機器の外側に配置されて、ポータブル機器を保護するために用いられるポータブル機器のカバーにおいて、複数色のカバーを好みに合わせて付け替えるようになされ、前記カバーは半割り状の筐体から構成されて前記ポータブル機器の外面を覆うように配置され、片方のカバーには、先端に外向きの係止突起を有するフックが外側に突出するように設けられ、他方のカバーには、前記フックの係止突起が係入係止される係止孔が形成されていることを特徴としている。
【００１３】
請求項３に記載の発明は、請求項２に記載の発明において、前記フックは片方のカバーの左右側壁もしくは上下壁の幅方向略中央部に設けられ、前記係止孔は他方のカバーの左右側壁もしくは上下壁における前記フックの係止突起に対応した箇所に設けられている。
【００１４】
請求項４に記載の発明は、請求項２に記載の発明において、前記フックは、前記片方のカバーの両側壁に上下に近接して複数設けられ、前記係止孔は他方のカバーの両側壁における前記フックの係止突起に対応する箇所に近接して複数設けられている。
【００１５】
請求項５に記載の発明は、請求項２乃至４のいずれかに記載の発明において、前記片方のカバー及び他方のカバーには、前記ポータブル機器に設けられた表示面や操作部等に対応する箇所に、前記表示面や操作部等を露出させるための複数の開口部が形成されている。
【発明の効果】
【００１６】
請求項１に記載の発明によれば、カバー全体がリブとフックを備えた片方のカバーと、リブが挿入される孔部を有する受け部とフックが係止される係止孔とを備えた他方のカバーだけで構成されているから、構造が簡単であり、片方のカバーと他方のカバーとでポータブル機器の全体を覆うことができる。また、複数色のカバーを好みに合わせて付け替えて楽しむことができる。更に、片方のカバーのリブを他方のカバーの受け部の孔部に挿入することにより、位置決めを行い易い。また、片方のカバーのフックの係止突起を他方のカバーの係止孔に係入係止することによって、双方のカバーが外れることを防止することができる。更に、他方のカバーの係止孔に係入された片方のカバーのフックの係止突起を外側から指で押し込むことによって、フックの係止突起の係止状態を簡単に解除して双方のカバーを簡単に取り外すことができる。
【００１７】
請求項２に記載の発明によれば、カバー全体がフックを備えた片方のカバーと、フックが係止される係止孔を備えた他方のカバーだけで構成されているから、構造が簡単であり、片方のカバーと他方のカバーとでポータブル機器の全体を覆うことができる。また、片方のカバーのフックの係止突起を他方のカバーの係止孔に係入係止することによって、双方のカバーが外れることを防止することができる。更に、他方のカバーの係止孔に係入された片方のカバーのフックの係止突起を外側から指で押し込むことによって、フックの係止突起の係止状態を簡単に解除して双方のカバーを簡単に取り外すことができる。
【００１８】
請求項３に記載の発明によれば、片方のカバーのフックがカバーの左右壁に設けられ、他方のカバーの係止孔が左右壁に設けられているものでは、指で係止孔に係入されたフックの係止突起を外側から指で押すことによって、係止状態を簡単に解除して片方のカバーと他方のカバーを簡単に取り外すことができる。また、片方のカバーのフックが上下壁に設けられ、他方のカバーの係止孔が上下壁に設けられているものでは、フックの係止突起を指で押すときにポータブル機器の表示面の液晶画面が押されることがないので、表示面の液晶画面が損傷する虞がなく安全である。
【００１９】
請求項４に記載の発明によれば、片方のカバーの上下に近接して設けられた複数のフックの係止突起が、他方のカバーの上下に近接して設けられた複数の係止孔に係入係止されるので、片方のカバーと他方のカバーの固定状態を頑丈なものとすることができる。また、複数のフックが近接しても受けられているから、他方のカバーの複数の係止孔に係入係止されたフックの係止突起を一つの指で押して係止状態を簡単に解除することができて、片方のカバーと他方のカバーとを簡単に取り外すことができる。
【００２０】
請求項５に記載の発明によれば、片方のカバーと他方のカバーに形成された複数の開口部によって、ポータブル機器の表示面を見ることができると共に操作部等をカバーの外側から簡単に操作することができる。
【発明を実施するための最良の形態】
【００２１】
以下、本発明に係るポーダブル機器のカバーの実施の形態について、図を参照しつつ説明する。
【００２２】
図１は本発明の第１実施形態のポータブル機器のカバーで携帯用の小型テレビを覆う前の状態を示す分解斜視図、図２は同カバーで携帯用の小型テレビを覆った状態を示し、（ａ）は前側から見た斜視図、（ｂ）は後側から見た斜視図、図３は同カバーの詳細な構造を示す斜視図である。
【００２３】
この第１実施形態のカバーは、図１に示すように、半割り状の筐体からなる片方のカバー１と他方のカバー２とから構成されており、ポータブル機器の一例としての携帯用の小型テレビ３を覆うものである。片方のカバー１には、その上下壁４、５に外側に突出するリブ６、６がそれぞれ２箇所ずつ設けられると共に左右壁７、８の上下方向略中央部の先端に外向きの係止突起９ａを有するフック９、９が外側に突出するように１箇所ずつ設けられている。他方のカバー２には、その上下壁１０、１１の内面の先端にリブ６が挿入される孔部１２ａを有する受け部１２、１２が２箇所ずつ設けられると共に左右壁１３、１４にフック９の係止突起９ａが内側から係入係止される係止孔１３ａ、１４ａが形成されている。また、双方のカバー１、２には携帯用の小型テレビ３の表示面３ａや操作部３ｂ等を露出するための複数の開口部１ａ、２ａが形成されている。
【００２４】
図１に示すように、携帯用の小型テレビ３の左右両方から、双方のカバー１、２を小型テレビ３を覆うように被せ、片方のカバー１の各リブ６を他方のカバー２の各受け部１２の孔部１２ａにそれぞれ挿入すると共に、片方のカバー１の各フック９の係止突起９ａを他方のカバー２の各係止孔１３ａ、１４ａに内側から外側に向けて係入係止して、図２（ａ）（ｂ）に示す被覆状態とする。
【００２５】
この第１実施形態によれば、カバー全体がリブ６とフック９を備えた片方のカバー１と、リブ６が挿入される孔部１２ａを有する受け部１２とフック９が係止される係止孔１３ａ、１４ａとを備えた他方のカバー２だけで構成されているから、構造が簡単であり、片方のカバー１と他方のカバー２とで携帯用の小型テレビ３の全体を覆うことができる。また、複数色のカバー１、２を好みに合わせて付け替えて楽しむことができる。更に、片方のカバー１のリブ６を他方のカバー２の受け部１２の孔部１２ａに挿入することにより、位置決めを行い易い。また、片方のカバー１のフック９の係止突起９ａを他方のカバー２の係止孔１３ａ、１４ａに係入係止することによって、双方のカバー１、２が外れることを防止することができる。更に、他方のカバー２の係止孔１３ａ、１４ａに係入された片方のカバー２のフック９の係止突起９ａを外側から指で押し込むことによって、フック９の係止突起９ａの係止状態を簡単に解除して双方のカバー１、２を簡単に取り外すことができる。また、片方のカバー１と他方のカバー２に形成された複数の開口部１ａ、２ａによって、携帯用の小型テレビ３の表示面３ａを見ることができると共に操作部３ｂ等をカバー１、２の外側から簡単に操作することができる。
【００２６】
図４は第２実施形態のポータブル機器のカバーの詳細な構造を示す斜視図、図５は同カバーで携帯用の小型テレビを覆った状態を示し、（ａ）は前側から見た斜視図、（ｂ）は後側から見た斜視図である。尚、上記した第１実施形態と同一部材、同一箇所には、同一符号を付してその説明を省略する。
【００２７】
この第２実施形態のポータブル機器のカバーは、図４、図５（ａ）（ｂ）に示すように、片方のカバー１の左右壁７、８の縦方向略中央部に上下２つのフック９、９がそれぞれ近接して形成され、他方のカバー２の左右壁１３、１４におけるフック９、９と対応する箇所に上下２箇所の係止孔１３ａ、１４ａが形成されている。
【００２８】
この第２実施形態によれば、片方のカバー１と他方のカバー２とで携帯用の小型テレビ３を覆う際に、図５（ａ）（ｂ）に示すように、片方のカバー１の上下２つのフック９、９を他方のカバー２の上下２つの係止孔１３ａ、１４ａに係入係止することによって、片方のカバー１と他方のカバー２の固定状態を頑丈なものとすることができる。また、２つのフック９、９が近接しても受けられているから、他方のカバー２の複数の係止孔１３ａ、１４ａに係入係止されたフック９、９の係止突起９ａ、９ａを一つの指で押して係止状態を簡単に解除することができて、片方のカバー１と他方のカバー２とを簡単に取り外すことができる。尚、フック９は３つ以上複数近接して設けてもよいことは勿論である。
【００２９】
図６は第３実施形態のポータブル機器のカバーの詳細な構造を示す斜視図、図７は同カバーで携帯用の小型テレビを覆った状態を示し、（ａ）は前側から見た斜視図、（ｂ）は後側から見た斜視図である。
【００３０】
この第３実施形態のポータブル機器のカバーは、図６、図７（ａ）（ｂ）に示すように、片方のカバー１の上下壁４、５の幅方向略中央部に、係止突起９ａを有するフック９が外側に突出するよう設けられ、他方のカバー２の上下壁１０、１１におけるフック９の係止突起９ａの対応する箇所に係止孔１０ａ、１１ａが形成されている。
【００３１】
この第３実施形態によれば、フック９の係止突起９ａを指で押すときに携帯用の小型テレビ３の表示面３ａの液晶画面が押されることがないので、表示面３ａの液晶画面が損傷する虞がなく安全である。
【００３２】
尚、上記各実施形態では、携帯用の小型テレビについて説明したが、これに限らず、携帯電話等の他のポータブル機器のカバーにも適用できることは勿論である。
【図面の簡単な説明】
【００３３】
【図１】本発明の第１実施形態のポータブル機器のカバーで携帯用の小型テレビを覆う前の状態を示す分解斜視図である。
【図２】同カバーで携帯用の小型テレビを覆った状態を示し、（ａ）は前側から見た斜視図、（ｂ）は後側から見た斜視図である。
【図３】同カバーの詳細な構造を示す斜視図である。
【図４】第２実施形態のポータブル機器のカバーの詳細な構造を示す斜視図である。
【図５】同カバーで携帯用の小型テレビを覆った状態を示し、（ａ）は前側から見た斜視図、（ｂ）は後側から見た斜視図である。
【図６】第３実施形態のポータブル機器のカバーの詳細な構造を示す斜視図である。
【図７】同カバーで携帯用の小型テレビを覆った状態を示し、（ａ）は前側から見た斜視図、（ｂ）は後側から見た斜視図である。
【図８】従来の電子機器のカバーを示し、（ａ）は部分斜視図、（ｂ）は（ａ）におけるＡ−Ａ線断面図である。
【図９】従来の外装カバーの斜視図である。
【図１０】従来の外装体接合部材を用いた接合構造を示す断面図である。
【図１１】従来のデジタルスチルカメラを示し、（ａ）はその後側から見た斜視図、（ｂ）はその前側から見た斜視図である。
【図１２】従来の電子機器を示し、（ａ）はその分解斜視図、（ｂ）はその部分斜視図である。
【符号の説明】
【００３４】
１      片方のカバー
１ａ    開口部
２      他方のカバー
２ａ    開口部
３      携帯用の小型テレビ
３ａ    表示面
３ｂ    操作部
４      上壁
５      下壁
６      リブ
７      左壁
８      右壁
９      フック
９ａ    係止突起
１０    上壁
１０ａ  係止孔
１１    下壁
１１ａ  係止孔
１２    受け部
１２ａ  孔部
１３    左壁
１３ａ  係止孔
１４    右壁
１４ａ  係止孔
【図１】
2008167780.tif 000003
【図２】
2008167780.tif 000004
【図３】
2008167780.tif 000005
【図４】
2008167780.tif 000006
【図５】
2008167780.tif 000007
【図６】
2008167780.tif 000008
【図７】
2008167780.tif 000009
【図８】
2008167780.tif 000010
【図９】
2008167780.tif 000011
【図１０】
2008167780.tif 000012
【図１１】
2008167780.tif 000013
【図１２】
2008167780.tif 000014